(57)【要約】      （修正有）【課題】回転式ドアを付勢するバネが脱落しにくく、組み付けが容易なるディスク再生機能付きテレビジョンおよびディスク再生装置の提供する。【解決手段】本考案において筐体１２と回転式ドアとを回動自在に連結する回動軸２３，２３とは別に設けられたバネ保持部２４にてトーションバネ２６を保持させている。従って、回動軸２３，２３が破壊されたとしても、トーションバネ２６が脱落することが防止できる。さらに、トーションバネ２６は、コイル部が略円柱状のバネ保持部２４に挿通されるとともに、バネ保持部２４の先端から突設された抜止突起２４ａによって抜け止めされる。従って、トーションバネ２６をバネ保持部２４から脱落しにくくすることができる。【選択図】図９
0003106756.tif 000002
【実用新案登録請求の範囲】
【請求項１】
内部からスライドするディスクトレイを外部に突出させるための開口が設けられる筐体と、回動することにより同開口を開閉させる回動式ドアとを具備するディスク再生機能付きテレビジョンにおいて、
上記回動式ドアは、
上記開口を塞ぐとともに、上記筐体の外側にスライドする上記ディスクトレイに押圧される略板状のドア板と、
上記ドア板の両端から上記筐体の内側に向かってそれぞれ立設された一対のアームと、
上記アームのそれぞれから立設され上記筐体内部に設けられた一対の軸受けにそれぞれ軸受けされる一対の回動軸と、
少なくとも一方の上記アームに形成された柱状のバネ保持部と、
上記バネ保持部の先端において同バネ保持部の径方向に突設された抜止突起と、
上記バネ保持部にコイル部分の内側を挿通されるとともに、コイル部分から略接線方向に延出された一端が上記回動式ドアに支持され、同様に同コイル部分から略接線方向に延出されたもう一端が上記筐体に支持されることにより、同筐体に対して同回動式ドアを上記ドア板が上記開口を閉鎖する方向に付勢するトーションバネとを具備することを特徴とするディスク再生機能付きテレビジョン。
【請求項２】
内部からスライドするディスクトレイを外部に突出させるための開口が設けられる筐体と、回動することにより同開口を開閉させる回動式ドアとを具備するディスク再生装置において、
上記回動式ドアは、
上記開口を塞ぐ略板状のドア板と、
上記ドアから立設された一対のアームと、
上記アームのそれぞれから立設され上記筐体内部に設けられた一対の軸受けにそれぞれ軸受けされる一対の回動軸と、
少なくとも一方の上記アームに形成されたバネ保持部と、
上記バネ保持部に保持されるとともに、一端が上記回動式ドアに支持され、もう一端が上記筐体に支持されることにより、同筐体に対して同回動式ドアを所定の方向に付勢するバネとを具備することを特徴とするディスク再生装置。
【請求項３】
上記回転式ドアの上記ドア板は、
上記バネにより上記開口を閉鎖するように付勢されるとともに、
上記筐体の内部から外部に向かって進行する上記ディスクトレイにより押圧されることにより、上記バネの付勢に抗して上記開口を開放させることを特徴とする請求項２に記載のディスク再生装置。
【請求項４】
上記バネは、
略筒状のコイル部分を有し、両端がそれぞれ同コイル部分の略接線方向に延出されたトーションバネであるとともに、
柱状に形成された上記バネ保持部に上記コイル部分の内側を挿通されることを特徴とする請求項２または請求項３のいずれかに記載のディスク再生装置。
【請求項５】
柱状に形成された上記バネ保持の先端には、上記バネ保持部の径方向に突出する抜止突起が延設されることを特徴とする請求項４に記載のディスク再生装置。
【考案の詳細な説明】
【技術分野】
【０００１】
本考案は、ディスクが載置されるディスクトレイがスライド可能に備えられるディスク再生機能付きテレビジョンおよびディスク再生装置に関するものである。
【背景技術】
【０００２】
従来、この種のディスク再生装置として、ディスクトレイをスライドさせるための開口に回転式ドアを取り付けたものが知られている（例えば、特許文献１、参照。）。
かかる構成において、回転式ドアが筐体に対して回動可能に支持され、その回動軸にバネが取り付けられている。このようにすることにより、回転式ドアを常に閉鎖させる方向に付勢しておくことができるため、ディスクトレイが前方にスライドするときを除いては上記開口を閉鎖しておくことが可能であった。従って、見栄えが良く、ほこり等がディスク再生部等に入り込むことを防止できた。
【特許文献１】実開平５−２１３９５号公報
【考案の開示】
【考案が解決しようとする課題】
【０００３】
上述したディスク再生装置において、回転式ドアは筐体に対して回動軸を介して回動可能に連結されており、その回動軸に上記バネが取り付けられている。回転式ドアに対して無理な荷重を及ぼし回転式ドアが筐体から離脱させられる場合に、上記回動軸が破損や変形することにより回転式ドアと筐体との連結が解除される。このとき、回動軸に取り付けられていたバネは、同回動軸の破損や変形とともに、同回動軸から脱落することがあった。そして、脱落したバネは筐体内部に落下して、取り出すことが困難となるという問題があった。さらに、脱落したバネが筐体内部に備えられた電子部品等に接触することにより、ショート等の電気的不具合を発生させるという問題があった。
さらに、回転式ドアを筐体に取り付ける際には、回動軸にバネを取り付けつつ、同回動軸を筐体に軸着させなければならないため、組み付けが難しいという問題もあった。
【０００４】
本考案は、上記課題にかんがみてなされたもので、回転式ドアを付勢するバネが脱落しにくく、組み付けが容易なるディスク再生機能付きテレビジョンおよびディスク再生装置を提供することを目的とする。
【課題を解決するための手段】
【０００５】
上記目的を達成するため、請求項１にかかる考案は、内部からスライドするディスクトレイを外部に突出させるための開口が設けられる筐体と、回動することにより同開口を開閉させる回動式ドアとを具備するディスク再生機能付きテレビジョンにおいて、
上記回動式ドアは、上記開口を塞ぐ略板状のドア板と、上記ドア板の両端から上記筐体の内側に向かってそれぞれ立設された一対のアームと、上記アームのそれぞれから立設され上記筐体内部に設けられた一対の軸受けにそれぞれ軸受けされる一対の回動軸と、少なくとも一方の上記アームに形成された柱状のバネ保持部と、上記バネ保持部の先端において同バネ保持部の径方向に突設された抜止突起と、上記バネ保持部にコイル部分の内側を挿通されるとともに、コイル部分から略接線方向に延出された一端が上記回動式ドアに支持され、同様に同コイル部分から略接線方向に延出されたもう一端が上記筐体に支持されることにより、同筐体に対して同回動式ドアを上記ドア板が上記開口を閉鎖する方向に付勢するトーションバネとを具備する構成としてある。
【０００６】
上記のように構成した請求項１の考案において、筐体にはディスクトレイが備えられ、同ディスクトレイは同筐体の内部からスライドし、同筐体に設けられた開口を介して外部に突出する。回転式ドアが備えられ、同回転式ドアが回動することによって上記開口が開閉させられる。上記回動式ドアには、所定の回動位置にて上記開口を塞ぐことができる略板状のドア板が備えられ、同ドア板は上記筐体の外側にスライドする上記ディスクトレイに押圧される。このドア板の両端から上記筐体の内側に向かって一対のアームが立設され、同一対のアームのそれぞれから一対の回動軸が立設される。そして、同一対の回動軸を上記筐体の内部に形成された一対の軸受けに軸受けさせることにより、上記筐体に上記回転式ドアを回動可能に連結することができる。
【０００７】
さらに、少なくとも一方の上記アームには柱状のバネ保持部が形成される。このバネ保持部の先端において、抜止突起が同バネ保持部の径方向に突設される。コイル部分と、同コイル部分から略接線方向に延出された二端とからなるトーションバネが備えられる。上記トーションバネは、上記コイル部分の内側に上記バネ保持部を挿通させることにより、上記回転式ドアに保持される。コイル部分から略接線方向に延出された一端は、上記回動式ドアに支持される。一方、もう一端は上記筐体に支持される。これにより、上記トーションバネの付勢力を上記回転式ドアと上記筐体との間に作用させることができ、同付勢力により上記回動式ドアを上記ドア板が上記開口を閉鎖する方向に付勢することができる。
【０００８】
かかる構成により、上記トーションバネを上記回動軸とは別の機構により上記回転式ドアに保持することができるため、上記回動軸が破損した場合でも上記トーションバネが脱落することが防止できる。また、上記回動軸の軸受けと上記トーションバネの取り付けとを独立して行うことができるため、組み付け時の作業性が良い。
【０００９】
さらに、請求項２にかかる考案は、内部からスライドするディスクトレイを外部に突出させるための開口が設けられる筐体と、回動することにより同開口を開閉させる回動式ドアとを具備するディスク再生装置において、
上記回動式ドアは、上記開口を塞ぐ略板状のドア板と、上記ドア板から立設された一対のアームと、上記アームのそれぞれから立設され上記筐体内部に設けられた一対の軸受けにそれぞれ軸受けされる一対の回動軸と、少なくとも一方の上記アームに形成されたバネ保持部と、上記バネ保持部に保持されるとともに、一端が上記回動式ドアに支持され、もう一端が上記筐体に支持されることにより、同筐体に対して同回動式ドアを所定の方向に付勢するバネとを具備する構成としてある。
【００１０】
上記のように構成した請求項２の考案において、筐体にはディスクトレイが備えられ、同ディスクトレイは同筐体の内部からスライドし、同筐体に設けられた開口を介して外部に突出する。回転式ドアが備えられ、同回転式ドアが回動することによって上記開口が開閉させられる。上記回動式ドアには、所定の回動位置にて上記開口を塞ぐことができる略板状のドア板が備えられる。このドア板から一対のアームが立設され、同一対のアームのそれぞれから一対の回動軸が立設される。そして、同一対の回動軸を上記筐体の内部に形成された一対の軸受けに軸受けさせることにより、上記筐体に上記回転式ドアを回動可能に連結することができる。
【００１１】
さらに、少なくとも一方の上記アームには柱状のバネ保持部が形成され、同バネ保持部にはバネが保持される。このバネの一端は上記回動式ドアに支持され、もう一端は上記筐体に支持される。これにより、上記バネの付勢力を上記回転式ドアと上記筐体との間に作用させることができ、同付勢力により上記回動式ドアは上記ドア板が上記開口を閉鎖する方向に付勢することができる。
【００１２】
さらに、請求項３にかかる考案は、上記回転式ドアの上記ドア板は、上記バネにより上記開口を閉鎖するように付勢されるとともに、上記筐体の内部から外部に向かって進行する上記ディスクトレイにより押圧されることにより、上記バネの付勢に抗して上記開口を開放させる構成としてある。
【００１３】
上記のように構成した請求項３の考案において、上記ドア板は、上記開口を閉鎖するように上記バネによって付勢される。上記ドア板は上記筐体の内部から外部に向かって進行する上記ディスクトレイにより押圧される。これにより、上記バネの付勢力に抗して上記開口を開放することができる。すなわち、上記ディスクトレイが上記筐体から突出する場合には、上記開口を開放することができる。
【００１４】
また、請求項４にかかる考案は、略筒状のコイル部分を有し、両端がそれぞれ同コイル部分の略接線方向に延出されたトーションバネであるとともに、柱状に形成された上記バネ保持部に上記コイル部分の内側を挿通される構成としてある。
上記のように構成した請求項４の考案において、上記バネとしてトーションバネが適用され、同トーションバネは略円筒状のコイル部分と、同コイル部分の略接線方向にそれぞれ延出された両端とから構成される。そして、上記バネ保持部は柱状に形成されるとともに、略円筒状に形成された上記コイル部分が挿通される。
【００１５】
さらに、請求項５にかかる考案は、柱状に形成された上記バネ保持の先端には、上記バネ保持部の径方向に突出する抜止突起が延設される構成としてある。
上記のように構成した請求項５の考案において、上記バネ保持部の径方向に突出する抜止突起を上記バネ保持の先端に形成することにより、同バネ保持部に上記コイル部分が挿通された上記トーションバネを抜け止めすることができる。
【考案の効果】
【００１６】
以上説明したように請求項１および請求項２にかかる考案によれば、回転式ドアを付勢するバネが脱落しにくく、組み付けが容易なるディスク再生機能付きテレビジョンおよびディスク再生装置を提供することができる。
また、請求項３にかかる考案によれば、ディスクトレイが外部にスライドするときのみ開口を開放させることができる。
さらに、請求項４にかかる考案によれば、トーションバネを簡単に取り付けることができる。
さらに、請求項５にかかる考案によれば、トーションバネを確実に保持することができる。
【考案を実施するための最良の形態】
【００１７】
図１は、本考案にかかるディスク再生装置としてＤＶＤ再生機能付きテレビジョンを斜めから見て示している。なお、本考案は、少なくともディスクトレイがスライドする機器であれば適用可能であり、ＤＶＤプレーヤのようにディスク再生機能が単体で備えられる機器においても適用することができる。また、ディスク再生機能付きテレビジョンのように他の機器に組み入れられても良く、パーソナルコンピュータ等のディスクドライブ等に適用することも可能である。むろん、再生機能以外に書き込み機能等を有しているものであっても、当然適用することが可能である。また、ＣＤ，ＣＤ−Ｒ，ＣＤ−ＲＷ，ＤＶＤ等を再生、記録する機器に本考案を適用することも可能である。
【００１８】
図１において、テレビジョン１０は略箱状の筐体１２を有している。筐体１２は、正面に矩形状の開口を有しており、同開口から表示面を露出させるように受像管１１が内部に収容されている。受像管１１の表示面の下方には幅方向に細長い開口１２ａが形成されており、同開口１２ａによって筐体１２の内部と外部とが連通している。また、開口１２ａの内側には、回転式ドア２０が取り付けられており、同回転式ドア２０が備える略板状のドア板２１によって開口１２ａが塞がれている。回転式ドア２０は筐体１２に対して回動可能に取り付けられており、回転式ドア２０が回動することにより開口１２ａに対してドア板２１が回動する。このようにすることにより、開口１２ａを開閉することが可能となっている。
【００１９】
図２は、ディスクトレイが前方にスライドする様子を示している。同図において、テレビジョン１０から前方に向かって略矩形板状のディスクトレイ１８がスライドしている。ディスクトレイ１８の略中央部に円形の凹みを形成することにより、ディスク載置部１８ａを形成している。ディスク載置部１８ａは、ディスクトレイ１８が前方にスライドした際に、全体が筐体１２の外部に露出される。従って、ディスクトレイ１８を前方にスライドさせることにより、使用者はディスク載置部１８ａにディスクを載置したり、ディスク載置部１８ａに載置されたディスクを取り出すことができる。
【００２０】
ディスクトレイ１８は所定の操作に応じてスライドさせることが可能となっている。そして、ディスクトレイ１８が筐体１２内部にスライドした状態において、同筐体１２内部に備えられたディスク再生機構がディスクをチャックし、同ディスクを回転させつつ、同ディスクに記録されたデータを光学的に読み取ることが可能となっている。以上のようにして読み取ったデータを再生することにより、受像管１１にて映像を表示することが可能となっている。図２のように、ディスクトレイが前方にスライドする状態において、略板状のドア板２１は前方に押し倒されている。すなわち、前方にスライドするディスクトレイ１８の前方端部が当接することによってドア板２１が前方に押し倒され、それにより、開口１２ａが開放され、同開口１２ａからディスクトレイ１８が前方に突出している。
【００２１】
図３は回転式ドア２０を斜めから見て示し、図４は回転式ドア２０を側方から見て示している。なお、両図において、回転式ドア２０は筐体１２から取り外された状態である。回転式ドア２０は開口１２ａよりもわずかに外形が小さく形成された略板状のドア板２１を有しており、その長手方向両端から略板状の一対の平行なアーム２２，２２が延設されている。各アーム２２，２２はＬ字状に屈曲した形状に形成されており、ドア板２１と接合しない端部付近にはそれぞれ幅方向外側に突出する略円柱状の回動軸２３，２３が形成されている。一方のアーム２２における回動軸２３から所定量離れた位置には略円柱状のバネ保持部２４と、矩形状の第一の支持部２５が幅方向外側に突設されている。バネ保持部２４の先端部には同バネ保持部２４の径方向外側に突出する略矩形状の抜止突起２４ａが設けられている。
【００２２】
図５は、バネ保持部２４にトーションバネが取り付けられる様子を示している。同図において、トーションバネ２６は、金属製の線材を湾曲させることにより形成されており、円筒状のコイル部２６ａと同コイル部２６ａの両端が接線方向に延長された直線状の端部２６ｂ１，２６ｂ２とから構成されている。トーションバネ２６は端部２６ｂ１，２６ｂ２が互いに直交するときに本来の形状となるように形成されており、端部２６ｂ１，２６ｂ２が交差する角度が狭められたり、広げられると原形状に復帰しようとする弾性力が蓄積される。
【００２３】
コイル部２６ａは軸方向に所定の長さを有しており、コイル部２６ａの弾性変形領域内にて屈曲させることが可能となっている。そして、図５のようにコイル部２６ａを略くの字状に屈曲させることにより、抜止突起２４ａおよびバネ保持部２４を軸方向に挿通させることができる。バネ保持部２４はコイル部２６ａの内径よりも小径に形成されており、高さはコイル部２６ａの長さよりも高く形成されている。従って、図６のようにバネ保持部２４がコイル部２６ａを挿通する状態で、トーションバネ２６を回転式ドア２０に取り付けることが可能となっている。コイル部２６ａとバネ保持部２４との径方向のクリアランスは、抜止突起２４ａの径方向の突出量よりも小さく形成されているため、図５のようにコイル部２６ａを屈曲させない限り、トーションバネ２６が回転式ドア２０から取り外せないようにすることができる。
【００２４】
図７は、筐体１２の開口１２ａの付近を内側から見て示している。同図において、開口１２ａの幅方向両端には内側に突出する略板状の一対の平行な軸受け片１４，１４が形成されている。軸受け片１４，１４にはそれぞれ円形の軸穴１４ａ，１４ａが幅方向に貫通している。一方の軸受け片１４から幅方向外側に向かって矩形状に突出する第二の支持部１５が延設されている。また、同軸受け片１４から幅方向内側に向かって矩形状に突出するストッパー１６が延設されている。軸穴１４ａ，１４ａには、回転式ドア２０の回動軸２３，２３をそれぞれ内側から挿通させられ、それにより回転式ドア２０と筐体１２とが回動可能に連結される。
【００２５】
軸受け片１４，１４の幅方向の間隔は、回転式ドア２０におけるアーム２２，２２の幅方向の間隔よりも広く形成されており、両間隔の差は各回動軸２３，２３の突出量よりも少ない量とされている。なお、回転式ドア２０を筐体１２に取り付けるにあたっては、予め回転式ドア２０にトーションバネ２６を取り付けておき、ドア板２１やアーム２２，２２を撓ませつつ軸穴１４ａ，１４ａに回動軸２３，２３を挿通させる。
【００２６】
図８は、筐体１２に回転式ドア２０が取り付けられた状態を軸受け片１４の側方から見て示している。同図において、トーションバネ２６が取り付けられた回転式ドア２０が、軸穴１４ａに回動軸２３を挿通させることにより筐体１２に取り付けられている。。トーションバネ２６の端部２６ｂ１，２６ｂ２はそれぞれ第一の支持部２５と第二の支持部１５に係止させられている。同図の状態において、端部２６ｂ１，２６ｂ２は直交しトーションバネ２６は原形状となるとともに、軸受け片１４から幅方向内側に突出するストッパー１６にアーム２２が干渉している。同時にドア板２１が開口１２ａを塞いでいる。このように、トーションバネ２６が原形状となるとき、開口１２ａを閉鎖することができる。ストッパー１６は、開口１２ａが閉鎖される状態よりもドア板２１が内側に回動させられることを妨げるため、回転式ドア２０に外力を与えない状態においては、常に開口１２ａを閉鎖しておくことができる。
【００２７】
図９は、回転式ドア２０が回動する様子を示している。同図において、前方にディスクトレイ１８がスライドしており、同ディスクトレイ１８によってドア板２１が前方に押し倒されている。すなわち、回転式ドア２０が回動軸２３，２３を中心として回動することにより、ドア板２１が前方に押し倒され、それによって開放された開口１２ａからディスクトレイ１８が前方に突出している。その際に、回転式ドア２０に形成された第一の支持部２５は円周状の軌道を移動し、第二の支持部１５と接近する。これにより、第一の支持部２５と第二の支持部１５のそれぞれ内側に支持された端部２６ｂ１，２６ｂ２がなす角は狭められ、この角を直角に戻そうとする付勢力がトーションバネ２６に蓄積されることとなる。
【００２８】
従って、ディスクトレイ１８を再び筐体１２の内部に収容させ、ディスクトレイ１８と回転式ドア２０とが干渉しないようにすれば、上記付勢力によって回転式ドア２０が押し上げられ、再び図８のように開口１２ａを閉鎖することができる。なお、アーム２２，２２の間隔はディスクトレイ１８の幅よりも広く形成されているため、アーム２２，２２とディスクトレイ１８とが干渉することはない。このように、トーションバネ２６の付勢力を利用することにより、平常時においては常に開口１２ａを閉鎖しておくことができる。なお、バネ保持部２４は回転式ドア２０の回動とともに移動するため、第二の支持部１５とバネ保持部２４との間隔は変動する。従って、端部２６ｂ２は、第二の支持部１５上を滑りつつ、第二の支持部に支持される位置が変動する。
【００２９】
以上説明した構成によれば、回転式ドア２０を筐体１２に取り付けるにあたり、予めトーションバネ２６を回転式ドア２０に取り付けてから、回動軸２３，２３を軸穴１４ａ，１４ａに挿通させることができる。従って、回動軸２３，２３を軸穴１４ａ，１４ａに挿通させる際にトーションバネ２６が脱落するようなことがないため、組付けを容易に行うことができる。また、組み付け後において、回転式ドア２０を無理に押したり引いたりすることによって、筐体１２との連結部位である回動軸２３，２３が破損することがある。一方、トーションバネ２６はバネ保持部２４に保持されているため、回動軸２３，２３が破損しても回転式ドア２０に保持しておくことができる。従って、トーションバネ２６が回転式ドア２０から脱落することが防止でき、筐体１２の内部の各種電子部品にトーションバネ２６が落下し、電気的な不具合を発生させることもない。
【００３０】
以上説明したように、本考案において筐体１２と回転式ドア２０とを回動自在に連結する回動軸２３，２３とは別に設けられたバネ保持部２４にてトーションバネ２６を保持させている。従って、回動軸２３，２３が破壊されたとしても、トーションバネ２６が脱落することが防止できる。さらに、トーションバネ２６は、コイル部２６ａが略円柱状のバネ保持部２４に挿通されるとともに、バネ保持部２４の先端から突設された抜止突起２４ａによって抜け止めされる。従って、トーションバネ２６をバネ保持部２４から脱落しにくくすることができる。
【図面の簡単な説明】
【００３１】
【図１】ＤＶＤ再生機能付きテレビジョンの斜視図である。
【図２】ＤＶＤ再生機能付きテレビジョンの斜視図である。
【図３】回転式ドアの斜視図である。
【図４】回転式ドアの側面図である。
【図５】アームの斜視図である。
【図６】アームの斜視図である。
【図７】筐体の斜視図である。
【図８】回転式ドアの動作説明図である。
【図９】回転式ドアの動作説明図である。
【符号の説明】
【００３２】
１０…ＤＶＤ再生機能付きテレビジョン
１１…受像管
１２…筐体
１２ａ…開口
１４…軸受け片
１４ａ…軸穴
１５…第一の支持部
１６…ストッパー
１８…ディスクトレイ
１８ａ…ディスク載置部
２０…回転式ドア
２１…ドア板
２２…アーム
２３…回動軸
２４…バネ保持部
２４ａ…抜止突起
２５…第二の支持部
２６…トーションバネ
２６ａ…コイル部
２６ｂ１，２６ｂ２…端部
【図１】
0003106756.tif 000003
【図２】
0003106756.tif 000004
【図３】
0003106756.tif 000005
【図４】
0003106756.tif 000006
【図５】
0003106756.tif 000007
【図６】
0003106756.tif 000008
【図７】
0003106756.tif 000009
【図８】
0003106756.tif 000010
【図９】
0003106756.tif 000011